(57)【要約】【課題】収容物の出し入れ及び蓄冷材の交換が容易な保冷容器を得ること。【解決手段】本発明の保冷容器１は、収容物を蓄冷材ＣＰと共に収容可能なものであり、互いに対向する一対の側面部１０、２０と、一対の側面部１０、２０にそれぞれ開口する一対の開口部１１、２１と、一対の開口部１１、２１をそれぞれ開閉する一対の扉部１２、２２とを有する。本発明によれば、一方の扉部１２を開くことによって一方の開口部１１から容器１内の収容物の出し入れと蓄冷材ＣＰの交換ができ、他方の扉部２２を開くことによって他方の開口部２１から容器１内の収容物の出し入れと蓄冷材ＣＰの交換ができる。【選択図】図１
2015178931.tif 000002
【特許請求の範囲】
【請求項１】
収容物を蓄冷材と共に収容可能な保冷容器であって、
互いに対向する一対の側面部と、
該一対の側面部にそれぞれ開口する一対の開口部と、
該一対の開口部をそれぞれ開閉する一対の扉部と、
を有することを特徴とする保冷容器。
【請求項２】
前記保冷容器は、矩形の下板と、下板の互いに対向する一対の側辺にそれぞれ立設される左側板及び右側板と、前記左側板の上端と前記右側板の上端との間に亘って架け渡される上板と、前記一対の開口部のうち前方に形成される前面開口部を開閉する前面扉部と、後方に形成される後面開口部を開閉する後面扉部と、を有しており、
前記下板と、前記左側板と、前記右側板と、前記上板と、前記前面扉部と、前記後面扉部の少なくともいずれか一つの内面に、前記蓄冷材を保持する蓄冷材保持部が設けられていることを特徴とする請求項１に記載の保冷容器。
【請求項３】
前記下板と、前記左側板と、前記右側板と、前記上板の少なくとも一つの内面に設けられる前記蓄冷材保持部は、前方もしくは後方の少なくとも一方に向かって開口する袋形状を有していることを特徴とする請求項２に記載の保冷容器。
【請求項４】
前記前面扉部と前記後面扉部は、扉面に沿ってスライド移動することを特徴とする請求項２に記載の保冷容器。
【請求項５】
前記前面扉部と前記後面扉部は、左右の少なくとも一方に揺動することを特徴とする請求項２に記載の保冷容器。
【請求項６】
前記前面扉部と前記後面扉部は、それぞれ左右に分割して開閉可能に支持されていることを特徴とする請求項５に記載の保冷容器。
【請求項７】
前記前面扉部と前記後面扉部は、上下の少なくとも一方に揺動することを特徴とする請求項２に記載の保冷容器。
【請求項８】
前記前面扉部と前記後面扉部は、それぞれ上下に分割して開閉可能に支持されていることを特徴とする請求項７に記載の保冷容器。
【請求項９】
前記保冷容器は、複数段積みされることを特徴とする請求項１に記載の保冷容器。
【請求項１０】
前記保冷容器は、
前記一対の開口部にそれぞれ固定される枠形状の第１補強部材と、
下段の保冷容器と上段の保冷容器との間に介在される平板形状の第２補強部材と、を有することを特徴とする請求項９に記載の保冷容器。
【発明の詳細な説明】
【技術分野】
【０００１】
本発明は、収容物を蓄冷材と共に収容可能な保冷容器に関する。
【背景技術】
【０００２】
特許文献１には、蒸発器で冷却した冷気によって貯蔵庫内を冷却する冷却貯蔵庫の構造が示されている。特許文献２には、貨物用コンテナの内側に発泡樹脂製の板体からなる断熱ボックスを取り付け取り外し可能に建て込むことにより、外部環境温度の影響を避け、保冷貨物の温度を一定に保つことができる保冷コンテナの構造が示されている。
【先行技術文献】
【特許文献】
【０００３】
【特許文献１】特許第４９５６３１８号公報
【特許文献２】特開２００１−１８０７９５号公報
【発明の概要】
【発明が解決しようとする課題】
【０００４】
特許文献１の冷却貯蔵庫と特許文献２の保冷コンテナは、いずれも前面に扉を設けて収容物の出し入れを行うようになっている。したがって、例えば奥に収容されているものを取り出す場合に、取り出しにくいという課題を有している。また、特許文献２の保冷コンテナのように、収容物と共にドライアイスなどの冷媒や蓄冷材を収容する場合、収容物を収容した後で奥に収容することはできず、また、奥にセットされている蓄冷材を途中で交換することもできない。
【０００５】
本発明は、上記の点に鑑みてなされたものであり、その目的とするところは、収容物の出し入れ及び蓄冷材の交換が容易な保冷容器を提供することである。
【課題を解決するための手段】
【０００６】
上記課題を解決する本発明の保冷容器は、収容物を蓄冷材と共に収容可能な保冷容器であって、互いに対向する一対の側面部と、一対の側面部にそれぞれ開口する一対の開口部と、一対の開口部をそれぞれ開閉する一対の扉部とを有することを特徴としている。本発明によれば、一方の扉部を開くことによって一方の開口部から容器内の収容物の出し入れと蓄冷材の交換ができ、他方の扉部を開くことによって他方の開口部から容器内の収容物の出し入れと蓄冷材の交換ができる。例えば容器内で一方の開口部から離れて奥に配置されている収容物は、他方の扉部を開けて他方の開口部から取り出すことができる。また、容器内で一方の開口部から離れた奥に収容物を収容したい場合には、他方の扉部を開けて他方の開口部から容器内に収容することができる。同様に、容器内で一方の開口部から離れて奥に配置されている蓄冷材を交換したい場合には、他方の扉部を開けて他方の開口部から交換することができる。したがって、収容物の出し入れ及び蓄冷材の交換を迅速かつ容易にすることができ、前面扉部もしくは後面扉部の開放時間を短くし、内部の冷気が逃げるのを防ぐことができる。
【０００７】
本発明の保冷容器は、矩形の下板と、下板の互いに対向する一対の側辺にそれぞれ立設される左側板及び右側板と、左側板の上端と右側板の上端との間に亘って架け渡される上板と、一対の開口部のうち前方に形成される前面開口部を開閉する前面扉部と、後方に形成される後面開口部を開閉する後面扉部とを有しており、下板と、左側板と、右側板と、上板と、前面扉部と、後面扉部の少なくともいずれか一つの内面に、蓄冷材を保持する蓄冷材保持部が設けられていることが好ましい。本発明によれば、保冷容器内で蓄冷材が移動するのを防ぐことができる。したがって、蓄冷材の交換作業を迅速かつ容易にすることができ、前面扉部もしくは後面扉部の開放時間を短くし、内部の冷気が逃げるのを防ぐことができる。
【０００８】
本発明の保冷容器は、下板と、前記左側板と、前記右側板と、前記上板の少なくとも一つの内面に設けられる蓄冷材保持部が、前方もしくは後方の少なくとも一方に向かって開口する袋形状を有していることが好ましい。本発明によれば、前方もしくは後方から蓄冷材保持部に蓄冷材を挿入もしくは取り出しすることができる。したがって、蓄冷材の交換作業を迅速かつ容易に行うことができ、前面扉部もしくは後面扉部の開放時間を短くし、内部の冷気が逃げるのを防ぐことができる。
【０００９】
本発明の保冷容器は、前面扉部と後面扉部が扉面に沿ってスライド移動する構成としてもよい。例えば宅配車両の荷台内などの保冷容器の前方もしくは後方の作業スペースが限られている場合には、前面開口部もしくは後面開口部を容易に開閉させることができる。
【００１０】
また、前面扉部と後面扉部が左右の少なくとも一方に揺動する構成とし、さらにそれぞれ左右に分割して開閉可能に支持する構成としてもよい。例えば保冷容器の左右の作業スペースが限られている場合には、前面開口部もしくは後面開口部を容易に開閉させることができる。
【００１１】
そして、前面扉部と前記後面扉部が上下の少なくとも一方に揺動する構成とし、さらにそれぞれ上下に分割して開閉可能に支持する構成としてもよい。例えば保冷容器の前後左右の作業スペースが限られている場合には、前面開口部もしくは後面開口部を容易に開閉させることができる。
【００１２】
本発明の保冷容器は、複数段積みされる構成が好ましい。本発明によれば、複数の保冷容器を一緒に搬送し、必要に応じて分けることができる。したがって、配送における利便性の向上を図ることができる。
【００１３】
本発明の保冷容器は、一対の開口部にそれぞれ固定される枠形状の第１補強部材と、下段の保冷容器と上段の保冷容器との間に介在される平板形状の第２補強部材とを有することを特徴としている。本発明によれば、段積みした際に、下段の保冷容器が上段の保冷容器の荷重によってたわむのを防ぐことができる。
【発明の効果】
【００１４】
本発明によれば、収容物の出し入れと蓄冷材の交換を円滑に行うことができる。したがって、扉部の開放時間をより短くすることができ、容器内の冷気の逃げによる容器内の温度上昇を抑えて、高い保冷能力を発揮できる。
【図面の簡単な説明】
【００１５】
【図１】本発明の保冷容器の第１実施の形態を示す全体斜視図。
【図２】本実施形態の変形例を示す全体斜視図。
【図３】本実施形態の他の変形例を示す全体斜視図。
【図４】本発明の保冷容器の第２実施の形態を示す全体斜視図。
【図５】図４に示す保冷容器の一つを拡大して示す全体斜視図。
【図６】扉を開いた状態を示す斜視図。
【図７】図６のＢ方向矢視図。
【図８】図５のＡ−Ａ断面図。
【図９】図８に示す状態から扉を開いた状態を示す断面図。
【図１０】第１補強部材の構成を説明する図。
【発明を実施するための形態】
【００１６】
次に、本発明の実施の形態について図面を用いて説明する。
【００１７】
［第１実施の形態］
図１は、本発明の保冷容器の一実施の形態を示す全体斜視図であり、図１（ａ）は扉を閉じた状態を示し、図１（ｂ）は、扉を開いた状態を示している。なお、以下では保冷容器１の構成を説明する便宜上、前後左右という呼称を使用しているが、保冷容器１の実際の姿勢状態を限定するものではない。
【００１８】
本実施例の保冷容器１は、例えば宅配業者によって用いられるものであり、要冷蔵の宅配物や要冷凍の宅配物などの比較的低温に保つことが要求される収容物を収容した状態で、保冷機能のない車両の荷台に乗せられて搬送され、所定の配送先で保冷容器１から収容物が取り出されるという使い方がされる。
【００１９】
保冷容器１には、収容物と共に蓄冷材ＣＰが収容されており、蓄冷材ＣＰによって容器１の内部が冷却されて外部よりも低温に保たれている。蓄冷材ＣＰは、繰り返して使用できるものであり、別途の冷凍庫などで所定の冷却温度まで冷却された冷却状態のものが保冷容器１に収容される。そして、時間経過により所定温度よりも上昇したものが取り出されて、新たに別の冷却状態の蓄冷材ＣＰに交換される。
【００２０】
保冷容器１は、発泡樹脂製の板材を組み合わせて形成した直方体の断熱ボックスであり、その内部には、収容物を蓄冷材ＣＰと共に収容可能な大きさを有する室内空間が形成されている。保冷容器１は、前面部１０と後面部２０と左面部３０と右面部４０とからなる４つの側面部と、上面部５０と、下面部６０を有している。前面部１０と後面部２０は、互いに対向する一対の側面部を構成している。
【００２１】
そして、前面部１０には、室内空間に連通する前面開口部１１と、前面開口部１１を開閉可能な前面扉部１２が設けられ、後面部２０には、室内空間に連通する後面開口部２１と、後面開口部２１を開閉可能な後面扉部２２が設けられている。前面開口部１１は、保冷容器１の前面部１０の全面に亘って開口し、後面開口部２１は、保冷容器１の後面部２０の全面に亘って開口している。
【００２２】
保冷容器１は、下面部６０を形成する下板６１と、左面部３０を形成する左側板３１と、右面部４０を形成する右側板４１と、上面部５０を形成する上板５１を有している。下板６１は、平面視略矩形の平板形状を有しており、対向する一対の側辺のうちの一方の側辺に沿って左側板３１が立設され、他方の側辺に沿って右側板４１が立設されている。そして、左側板３１の上端と右側板４１の上端との間に亘って上板５１が架け渡されて設けられている。容器内には、左側板３１と右側板４１との間に亘って仕切り部材が架け渡されており、容器内が上下に仕切られている。
【００２３】
前面扉部１２は、上面部５０と下面部６０との間で扉面に沿って横方向にスライド移動可能に支持されており、図１（ａ）に示す前面開口部１１を閉塞する閉塞位置と、図１（ｂ）に示す前面開口部１１を開放する開放位置との間を往復移動する。同様に、後面扉部２２は、上面部５０と下面部６０との間で扉面に沿って横方向にスライド移動可能に支持されており、図１（ａ）に示す後面開口部２１を閉塞する閉塞位置と、図１（ｂ）に示す後面開口部２１を開放する開放位置との間を往復移動する。前面扉部１２と後面扉部２２は、図１（ｂ）に示すように、互いに離間する方向にスライド移動することによって開放位置に配置される。本実施形態では、前面扉部１２は、保冷容器１を前方から見た場合に右側にスライド移動可能に設けられ、後面扉部２２は、保冷容器１を後方から見た場合に右側にスライド移動可能に設けられている。
【００２４】
前面扉部１２と後面扉部２２を扉面に沿ってスライド移動する構成とすることにより、例えば宅配車両の荷台内などの保冷容器１の前方もしくは後方の作業スペースが限られている場合には、前面開口部１１もしくは後面開口部２１を容易に開閉させることができる。
【００２５】
前面扉部１２、後面扉部２２、左側板３１、右側板４１、上板５１、及び下板６１の各内面には、複数の蓄冷材ＣＰをそれぞれ保持するための蓄冷材保持部１３、２３、３３、４３、５３、６３が設けられている。なお、図１（ｂ）では、蓄冷材保持部１３、４３、５３は、代表的なもののみを示しているが、実際にはそれぞれ複数設けられている。
【００２６】
前面扉部１２の内面に設けられた蓄冷材保持部１３は、前面扉部１２を開放位置に配置することによって外部に露出され、外部から蓄冷材ＣＰの取り付けと取り外しを行うことができる。同様に、後面扉部２２の内面に設けられた蓄冷材保持部２３は、後面扉部２２を開放位置に配置することによって外部に露出され、外部から蓄冷材ＣＰの取り付けと取り外しを行うことができる。
【００２７】
左面部３０、右面部４０、上面部５０、及び下面部６０の各内面に設けられた蓄冷材保持部３３、４３、５３、６３は、保冷容器１の前側と後側に分かれており、前側の蓄冷材保持部３３、４３、５３、６３に対しては、保冷容器１の前面開口部１１から蓄冷材ＣＰの取り付けと取り外しを行うことができ、後側の蓄冷材保持部３３、４３、５３、６３に対しては、保冷容器１の後面開口部２１から蓄冷材ＣＰの取り付けと取り外しを行うことができる。
【００２８】
前側の蓄冷材保持部３３、４３、５３、６３は、前部が開閉可能な袋形状を有しており、後側の蓄冷材保持部３３、４３、５３、６３は、後部が開閉可能な袋形状を有している。したがって、例えば前側の蓄冷材保持部３３、４３、５３、６３に対しては、蓄冷材を前側から差し込み、また、抜き取ることができる。同様に、後側の蓄冷材保持部３３、４３、５３、６３に対しては、蓄冷材ＣＰを後側から差し込み、また、抜き取ることができる。したがって、保冷容器１内で蓄冷材ＣＰが移動するのを防ぐことができ、蓄冷材ＣＰの交換作業を迅速かつ容易にすることができ、前面扉部１２もしくは後面扉部２２の開放時間を短くして、内部の冷気が逃げるのを防ぐことができる。
【００２９】
なお、上記した実施例では、前面扉部１２、後面扉部２２、左側板３１、右側板４１、上板５１、及び下板６１のすべての内面に蓄冷材保持部を設けて、複数の蓄冷材を保持させる場合を例に説明したが、適切な低温状態を維持できるのであれば、これらすべての内面に蓄冷材保持部を設ける必要はなく、少なくともいずれか一つの内面に設ける構成としてもよい。また、蓄冷材保持部３３、４３、５３、６３は、前側に配置されるものが前方に向かって開口し、後側に配置されるものが後方に向かって開口している構成が好ましいが、必ずしもこの構成に限定されるものではなく、前方もしくは後方のいずれか一方のみに向かって開口していてもよい。
【００３０】
保冷容器１の下面部６０には、複数の車輪が取り付けられており、保冷容器１の移動を容易に行えるようになっている。したがって、例えば宅配物の集積所では冷蔵庫内に保冷容器１を移動させて、冷蔵庫内で保冷容器１内に要冷蔵の宅配物を収容する作業と蓄冷材を取り付ける作業の両方を行うことができる。したがって、要冷蔵の宅配物が常温の環境下に晒されるのを防ぎ、精密に温度管理された状態で配送先まで配送することができる。
【００３１】
上記した構成を有する保冷容器１によれば、互いに対向する前面部１０と後面部２０に前面開口部１１と後面開口部２１が設けられており、その前面開口部１１と後面開口部２１をそれぞれ開閉する前面扉部１２と後面扉部２２が設けられているので、例えば前面扉部１２を開くことによって前面開口部１１から容器１内の収容物の出し入れと、蓄冷材ＣＰの取り付け取り外しができ、後面扉部２２を開くことによって後面開口部２１から容器１内の収容物の出し入れと、蓄冷材ＣＰの取り付け取り外しができる。したがって、例えば容器１内で前面開口部１１から離れて奥に配置されている収容物は、後面扉部２２を開いて後面開口部２１から取り出すことができる。また、容器１内で前面開口部１１から離れた奥に収容物を収容したい場合には、後面扉部２２を開けて後面開口部２１から容器１内に収容することができる。同様に、容器１内で前面開口部１１から離れて奥に配置されている蓄冷材ＣＰを交換したい場合には、後面扉部２２を開けて後面開口部２１から交換することができる。
【００３２】
図２は、本実施の形態の変形例を示す全体斜視図であり、図２（ａ）は扉を閉じた状態を示し、図２（ｂ）は、扉を開いた状態を示している。
【００３３】
本発明の保冷容器は、前面扉部と後面扉部が左右の少なくとも一方に揺動する構成としてもよく、本変形例では前面扉部と後面扉部をそれぞれ左右に分割して揺動により開閉可能に支持する構成を有している。
【００３４】
保冷容器２の前面扉部１４は、左前扉部１４Ａと右前扉部１４Ｂを備えている。左前扉部１４Ａと右前扉部１４Ｂは、揺動により左右に開くように左側板３１と右側板４１にそれぞれ支持されている。左前扉部１４Ａは、保冷容器２を前方から見た場合に保冷容器２の左側に配置されて、時計回りに揺動して開くように左側板３１に支持されている。そして、右前扉部１４Ｂは、保冷容器２を前方から見た場合に保冷容器２の右側に配置されて、反時計回りに揺動して開くように右側板４１に支持されている。
【００３５】
同様に、保冷容器２の後面扉部２４は、左後扉部２４Ａと右後扉部２４Ｂを備えている。左後扉部２４Ａと右後扉部２４Ｂは、揺動により左右に開くように右側板４１と左側板３１にそれぞれ支持されている。左後扉部２４Ａは、保冷容器２を後方から見た場合に保冷容器２の左側に配置されて、時計回りに揺動して開くように右側板４１に支持されている。そして、右後扉部２４Ｂは、保冷容器２を後方から見た場合に保冷容器２の右側に配置されて、反時計回りに揺動して開くように左側板３１に支持されている。
【００３６】
なお、図２（ｂ）では、蓄冷材保持部２３、４３、５３は、代表的なもののみを示しているが、実際にはそれぞれ複数設けられている。
【００３７】
上記構成によれば、保冷容器２の左右の作業スペースが限られている場合には、前面開口部１１もしくは後面開口部２１を容易に開閉させることができる。また、上記構成によれば、例えば前面開口部１１を介して収容物の出し入れや蓄冷材の交換をする際に、前面扉部１４のうち、左前扉部１４Ａと右前扉部１４Ｂのいずれか一方のみを開いて行うことが可能となり、後面扉部２４についても同様に、左後扉部２４Ａと右後扉部２４Ｂのいずれか一方のみを開いて行うことが可能となる。
【００３８】
したがって、保冷容器２は、上記した保冷容器１の作用効果に加えて、収容物の出し入れ、あるいは蓄冷材の交換の際に、前面開口部１１あるいは後面開口部２１の開放面積を小さくすることができ、保冷容器２の内部の冷気が前面開口部１１あるいは後面開口部２１から外部に逃げて内部温度が上がるのを抑制することができる。
【００３９】
図３は、本実施の形態の変形例を示す全体斜視図であり、図３（ａ）は扉を閉じた状態を示し、図３（ｂ）は、扉を開いた状態を示している。
【００４０】
本発明の保冷容器は、前面扉部と後面扉部が上下の少なくとも一方に揺動する構成としてもよく、本変形例では前面扉部と後面扉部をそれぞれ上下に分割して揺動により開閉可能に支持する構成を有している。保冷容器３の前面扉部１５は、上前扉部１５Ａと下前扉部１５Ｂを備えている。上前扉部１５Ａは、揺動により先端を上方に移動させて前面開口部１１の上部領域を開放させることができるように基端が上板５１に支持されており、下前扉部１５Ｂは、揺動により先端を前方に倒して前面開口部１１の下部領域を開放させることができるように基端が下板６１に支持されている。
【００４１】
同様に、保冷容器３の後面扉部２５は、上後扉部２５Ａと下後扉部２５Ｂを備えている。上後扉部２５Ａは、揺動により先端を上方に移動させて後面開口部２１の上部領域を開放させることができるように基端が上板５１に支持されており、下後扉部２５Ｂは、揺動により先端を後方に倒して後面開口部２１の下部領域を開放させることができるように基端が下板６１に支持されている。なお、図３（ｂ）では、蓄冷材保持部２３、４３、５３は、代表的なもののみを示しているが、実際にはそれぞれ複数設けられている。
【００４２】
上記構成によれば、保冷容器の前後左右の作業スペースが限られている場合には、前面開口部もしくは後面開口部を容易に開閉させることができる。また、上記構成によれば、例えば前面開口部１１を介して収容物の出し入れや蓄冷材の交換をする際に、前面扉部１５のうち、上前扉部１５Ａと下前扉部１５Ｂのいずれか一方のみを開いて行うことが可能となり、後面扉部２５についても同様に、上後扉部２５Ａと下後扉部２５Ｂのいずれか一方のみを開いて行うことが可能となる。例えば、前面開口部１１側でかつ下段に収容されている収容物を取り出す際には、下前扉部１５Ｂを開くだけでよい。
【００４３】
したがって、保冷容器３は、上記した保冷容器１の作用効果に加えて、収容物の出し入れ、あるいは蓄冷材の交換の際に、前面開口部１１あるいは後面開口部２１の開放面積を小さくすることができ、容器内部の冷気が前面開口部１１あるいは後面開口部２１から外部に逃げて容器内部の温度が上がるのを抑制することができる。
【００４４】
［第２実施の形態］
次に、第２実施の形態について図４〜図１０を用いて以下に説明する。
【００４５】
図４は、本発明の保冷容器の第２実施の形態を示す全体斜視図、図５は、図４に示す保冷容器の一つを拡大して示す全体斜視図、図６は、扉を開いた状態を示す斜視図、図７は、図６のＢ方向矢視図、図８は、図５のＡ−Ａ線断面図、図９は、図８に示す状態から扉を開いた状態を示す断面図である。
【００４６】
本実施の形態において特徴的なことは、複数の保冷容器を段積み可能な構成としたことである。上述の実施の形態と同様の構成要素には同一の符号を付することでその詳細な説明を省略する。
【００４７】
各保冷容器４は、例えば図４に示すように２段に段積みすることができる。各保冷容器４は、基本的に図２に示す保冷容器２とほぼ同様の構成を有している。具体的には、図５から図９に示すように、互いに対向する前面部１０と後面部２０に前面開口部１１と後面開口部２１を有しており、それぞれが前面扉部１４と後面扉部２４によって開閉される構成を有している。そして、前面扉部１４、後面扉部２４、左側板３１、右側板４１、上板５１、及び下板６１の各内面には、複数の蓄冷材ＣＰをそれぞれ保持するための蓄冷材保持部１３、２３、３３、４３、５３、６３が設けられている。
【００４８】
保冷容器４は、互いに対向する前面部１０と後面部２０にそれぞれ前面開口部１１と後面開口部２１が設けられているので、左面部３０及び右面部４０と比較して上下方向の剛性が低くなっており、段積みにより上方から荷重が加えられると、下段の保冷容器４は、上板５１の中間位置が下方にたわむおそれがある。そこで、本実施の形態では、段積み状態で上下方向の荷重に耐えられるように、各保冷容器４が補強部材７０を有している。
【００４９】
補強部材７０は、前面開口部１１と後面開口部２１にそれぞれ固定される第１補強部材７１と、下段の保冷容器４の上板５１と上段の保冷容器４の下板６１との間に介在されて左側板３１と右側板４１との間に亘って延在する第２補強部材８１とを有している。
【００５０】
図１０は、第１補強部材の構成を説明する図であり、図１０（ａ）は斜視図、図１０（ｂ）は、（ａ）のＣ−Ｃ線断面図である。
【００５１】
第１補強部材７１は、例えばアルミニウム合金等の比較的軽量な金属製の素材、あるいは比較的剛性の高い合成樹脂製の素材を用いて構成されており、保冷容器４の前面開口部１１と後面開口部２１にそれぞれ嵌め込まれる矩形の枠形状を有している。第１補強部材７１は、金属製の素材の場合には、複数の棒状体を溶接もしくはボルトとナットで締結して組み立てたものを用いることができる。そして、樹脂製の素材の場合には、複数の棒状体を枠形状に一体成型したものや、複数本の棒状体をボルトとナットで締結して組み立てたものを用いることができる。本実施の形態では、断面Ｌ型のアルミニウム合金製のアングル材を４本組み合わせて、溶接することによって構成されている。第１補強部材７１を構成する棒状体の断面形状はＬ型に限定されるものではなく、例えば上板５１、下板６１、左側板３１、右側板４１の各端部を挿入可能な断面コ字型でもよい。第１補強部材７１は、図１０（ａ）、（ｂ）に示すように、上下一対の横枠部７２、７３と、左右一対の縦枠部７４、７５を有している。
【００５２】
第１補強部材７１は、前面開口部１１に設けられることにより、上横枠部７２が上板５１の前端面と上板５１の上面に対向して配置され、下横枠部７３が下板６１の前端面と下板６１の下面に対向して配置される。そして、左右の縦枠部７４、７５は、一方が左側板３１の前端面と左側板３１の外面に対向して配置され、他方が右側板４１の前端面と右側板４１の外面に対向して配置される。そして、後面開口部２１に設けられることにより、上横枠部７２が上板５１の後端面と上板５１の上面に対向して配置され、下横枠部７３が下板６１の後端面と下板６１の下面に対向して配置される。左右の縦枠部７４、７５は、一方が左側板３１の前端面と左側板３１の外面に対向して配置され、他方が右側板４１の前端面と右側板４１の外面に対向して配置される。
【００５３】
第２補強部材８１は、例えばベニヤ合板や硬質な合成樹脂板など、比較的剛性の高い素材を用いて構成されており、上板５１の上面に取り付けられている。第２補強部材８１は、本実施の形態では、上板５１の上面とほぼ同じ大きさを有しているが、左側板３１と右側板４１との間に亘って延在する形状を有していればよく、例えば上板５１の上面において前後方向に所定間隔を空けて複数を設けてもよい。
【００５４】
第２補強部材８１は、上板５１に着脱可能に取り付けてもよい。着脱可能にすることによって、例えば最上段の保冷容器４は、第２補強部材８１を取り外し、全体の軽量化を図ることができる。また、第２補強部材８１は、その上面に凹凸を設けて、上段の保冷容器４の一部と嵌合させることにより、位置決め保持可能な機能を持たせてもよい。上段の保冷容器４を位置決め保持することにより、配送中に上段の保冷容器４が位置ずれするのを防ぐことができる。
【００５５】
本実施の形態によれば、段積みにより複数の保冷容器１を一緒に搬送し、必要に応じて分けることができる。したがって、配送における利便性の向上を図ることができる。そして、段積みした際に、補強部材７０により、下段の保冷容器が上段の保冷容器の荷重によって変形するのを防ぐことができる。
【００５６】
尚、本発明は、上述の各実施の形態の構成に限定されるものではなく、本発明の趣旨を逸脱しない範囲で種々の変更及び組み合わせが可能である。例えば、上述の実施形態では、前面扉部と後面扉部とが同じ開閉構造を有する場合について説明したが、例えば、前面扉部はスライド式とし、後面扉部は観音開き式としてもよい。
【符号の説明】
【００５７】
１  保冷容器
１０  前面部
１１  前面開口部
１２  前面扉部
１３、２３、３３、４３、５３、６３  蓄冷材保持部
２０  後面部
２１  後面開口部
２２  後面扉部
３０  左面部
３１  左側板
４０  右面部
４１  右側板
５０  上面部
５１  上板
６０  下面部
６１  下板
７０  補強部材
７１  第１補強部材
８１  第２補強部材
ＣＰ  蓄冷材
【図１】
2015178931.tif 000003
【図２】
2015178931.tif 000004
【図３】
2015178931.tif 000005
【図４】
2015178931.tif 000006
【図５】
2015178931.tif 000007
【図６】
2015178931.tif 000008
【図７】
2015178931.tif 000009
【図８】
2015178931.tif 000010
【図９】
2015178931.tif 000011
【図１０】
2015178931.tif 000012